(57)【要約】【課題】高い安全性と、優れた光学性能と、そして高い耐湿性を有し、しかも優れたデザイン性を持たせることが可能なガラス面板を提供する。【解決手段】両側に配されるガラス板１７の間に、グラビア印刷の方法によって模様が形成された印刷フィルム１８を配するとともに、印刷フィルム１８とガラス板１７との間に、エチレン−酢酸ビニール共重合体フィルム１９を配し、このエチレン−酢酸ビニール共重合体フィルム１９によって、両側のガラス板１７を接合してガラス面板１０を組立てる。【選択図】図３
2018058763.tif 000002
【特許請求の範囲】
【請求項１】
マンションのベランダであって２枚のガラス板を重ね合わせたガラス面板を支柱を介してベランダの前縁に取付けたマンションのベランダにおいて、
前記ガラス面板が、
前記２枚のガラス板間に配される模様が印刷された印刷フィルムと、
前記印刷フィルムの両側に配され、前記印刷フィルムを介して前記２枚のガラス板を接合する接合用フィルムと、
を具備し、
前記印刷フィルムによって形成される模様が、この面板の縦方向に沿って上の方が淡く下の方が濃いグラデーション模様であるマンションのベランダ。
【請求項２】
前記印刷フィルムがポリエチレンテレフタレートフィルムである請求項１に記載のマンションのベランダ。
【請求項３】
前記印刷フィルムの表面にインクによって模様が印刷されている請求項１または２に記載のマンションのベランダ。
【請求項４】
前記印刷インクが溶剤によって溶かされた樹脂中に着色剤を入れたグラビアインクである請求項３に記載のマンションのベランダ。
【発明の詳細な説明】
【技術分野】
【０００１】
本発明はマンションのベランダに係り、とくに２枚のガラス板を重合せたガラス面板を用いたマンションのベランダに関する。
【背景技術】
【０００２】
マンションのベランダ等において、手摺りをベランダの床面と連続するコンクリートによって形成したものは、デザイン性に劣り、また重量も大きい等の欠点がある。そこでこのようなコンクリート製の手摺りに代えて、ガラス面板を用いた手摺りが用いられる傾向にある。
【０００３】
このようなガラス面板を用いた手摺りにおいて、とくに手摺りの面板部を構成するガラス面板を、特殊強化ガラスによって構成すると、極めて透明度が高い面板から成る手摺りを形成することが可能になる。ところが単板のガラス板から成る特殊な強化ガラスは、非常にコストが高い欠点がある。そこで、例えば特開２０１３−０５３４１９号公報や、特開２０１３−２３４４４２号公報に開示されているように、複数枚、例えば２枚のガラス板を重合わせたガラス面板を用いて、ベランダの手摺りを組立てることが行なわれるようになっている。ところが単に２枚のガラス板を重合わせるとともに、それらの間に飛散防止のための透明フィルムを接合した構造のガラス面板であると、透明な面板であることから、外からガラス面板を通してベランダの内側や部屋の中が見え易く、これによってプライバシーが侵されたり、あるいはまた防犯上の懸念が発生する可能性がある。
【先行技術文献】
【特許文献】
【０００４】
【特許文献１】特開２０１３−０５３４１９号公報
【特許文献２】特開２０１３−２３４４４２号公報
【発明の概要】
【発明が解決しようとする課題】
【０００５】
本願発明の課題は、高強度であってしかも低コストのガラス面板を提供することである。
【０００６】
本願発明の別の課題は、ベランダの手摺りに用いて好適なガラス面板を提供することである。
【０００７】
本願発明のさらに別の課題は、ベランダ内あるいは室内から外側への視界を遮ることなく、しかも外部からベランダ内、あるいは室内への視界を遮断し、これによってプライバシーや防犯上の問題を解決できるガラス面板を提供することである。
【０００８】
本願発明のさらに別の課題は、破損時におけるガラスの飛散を最小限にすることができる安全性が高いガラス面板を提供することである。
【０００９】
本願発明のさらに別の課題は、加撃物が貫通し難くなって飛来物に対する安全性か高く、耐貫通性を有するガラス面板を提供することである。
【００１０】
本願発明のさらに別の課題は、紫外領域の光線をほぼ遮断することができる紫外線吸収効果を有するガラス面板を提供することである。
【００１１】
本願発明のさらに別の課題は、高湿度下においてもなお接着性能が損なわれないようにしたガラス面板を提供することである。
【００１２】
本願発明のさらに別の課題は、高いデザイン性を付与することができるガラス面板を提供することである。
【００１３】
本願発明の上記の課題および別の課題は、以下に述べる本願発明の技術的思想、およびその実施の形態によって明らかにされる。
【課題を解決するための手段】
【００１４】
本願の主要な発明は、マンションのベランダであって２枚のガラス板を重ね合わせたガラス面板を支柱を介してベランダの前縁に取付けたマンションのベランダにおいて、
前記ガラス面板が、
前記２枚のガラス板間に配される模様が印刷された印刷フィルムと、
前記印刷フィルムの両側に配され、前記印刷フィルムを介して前記２枚のガラス板を接合する接合用フィルムと、
を具備し、
前記印刷フィルムによって形成される模様が、この面板の縦方向に沿って上の方が淡く下の方が濃いグラデーション模様であるマンションのベランダに関するものである。
【００１５】
ここで前記印刷フィルムがポリエチレンテレフタレートフィルムである請求項１に記載のマンションのベランダであってよい。
【００１６】
また前記印刷フィルムの表面にインクによって模様が印刷されてよい。また前記印刷インクが溶剤によって溶かされた樹脂中に着色剤を入れたグラビアインクであってよい。
【発明の効果】
【００１７】
従ってこのようなガラス面板によると、中間に配される印刷フィルムと２枚のエチレン−酢酸ビニール共重合体フィルムとによって、安全性が高いガラス面板を提供することができ、また加撃物に対する安全性が著しく改善され、しかもとくにエチレン−酢酸ビニール共重合体フィルムによって、紫外線を吸収することが可能になる。またエチレン−酢酸ビニール共重合体のフィルムが高い耐湿性を有するために、高湿度下でも優れた接着性能を発揮することになる。しかもこのようなガラス面板は、印刷フィルムによって形成される模様が、高いデザイン性を付与することが可能になる。また模様として、縦方向のグラデーションを形成した場合には、これをマンションの手摺りの面板に利用した場合に、外部からベランダ内、あるいは室内を覗き難くなるとともに、内部から外側の部分の視界を遮ることがなくなる。
【図面の簡単な説明】
【００１８】
【図１】ガラス面板を用いたベランダの正面図である。
【図２】ガラス面板の分解斜視図である。
【図３】ガラス面板の拡大縦断面図である。
【図４】ガラス面板の正面図である。
【図５】別のガラス面板の正面図である。
【図６】さらに別のガラス面板の正面図である。
【発明を実施するための形態】
【００１９】
以下本願発明を図示の実施の形態によって説明する。本実施の形態のガラス面板は、ベランダの手摺りに用いられるガラス面板に関するものである。
【００２０】
マンションのベランダの前端縁側の部分に付設される手摺りは、図１に示すように、複数枚のガラス面板１０を横方向に配列した構造になっている。ここで複数枚のガラス面板１０は、その上縁の部分に複数のガラス面板１０を連結するための笠木１１が取付けられる。また４辺支持の場合は、互いに横方向に配置されるガラス面板１０間には縦棧１２が取付けられる。２辺支持のガラス面板１０の場合は、ガラス面板１０の横方向の端面間にコーキング材が充填される。また横方向に連続するガラス面板１０の下端には下棧１３が取付けられるようになっている。なおここでガラス面板１０の枚数は、図１に示す３枚に限定されることなく、ベランダの横方向の長さに応じて各種の枚数のガラス面板１０が配置される。
【００２１】
ガラス面板１０は、図２および図３に示すように、両側に配されるガラス板１７の間に、印刷フィルム１８と、その両側であって両側のガラス板１７の内側に配されるエチレン−酢酸ビニール共重合体フィルム１９とによって構成される。中間に配される印刷フィルム１８はポリエチレンテレフタレートフィルムから成り、このガラス面板に対して模様等のデザイン性を持たせるものである。これに対して印刷フィルム１８の両側のエチレン−酢酸ビニール共重合体フィルム１９は、両側のガラス板１７を互いに接合するとともに、ガラス板１７と印刷フィルム１８とを互いに接合する透明なフィルムである。このようなエチレン−酢酸ビニール共重合体は、エチレンの共重合体の１種であって、エバールと称される樹脂である。無定形では−３８℃までたわみ性があり、安定性が良好で、ベンゼン、テトラヒドロフランに溶け、メタノール、アセトンに不溶で、パラフィンと混和性があり、パラフィンに対して強力な接着力、たわみ性、強靭性を与える特徴を持っている。またクマロン・インデン樹脂やフェノール樹脂等とも混和し、高い接着性を有する特徴を有している。本願発明においてはとくに接着手段としてのフィルムとして、エチレン−酢酸ビニール共重合体フィルム１９を用いているために、両側のガラス板１７に対して高い接合力を与えることになる。
【００２２】
次にこのガラス面板１０に対してデザイン性を付与する印刷フィルム１８は、ポリエチレンテレフタレートフィルムから構成される。そしてこのようなフィルムの一方の表面には、印刷によって模様が形成される。模様は、より好ましくはグラビア印刷用インクによって形成される。ここでグラビアインクは、樹脂を溶剤に溶かすとともに、この樹脂を溶かした溶剤中にさらに着色剤と助剤とを溶かしたインクであって、包装材等の印刷等に広く用いられるインクである。
【００２３】
グラビアインクの樹脂としては、塩酢ビ樹脂、塩化ゴム、塩素化ＰＰ、アクリル樹脂、ポリアミド樹脂、ポリウレタン樹脂、硝化綿樹脂（ニトロセルロース）の各種の樹脂から選択された樹脂が用いられ、場合によっては混合樹脂も利用される。また溶剤としては、トルエン、キシレン、酢酸エチル、酢酸ブチル、ＩＰＡ、ブタノール、ケトン等の各種の溶剤が用いられる。また着色剤は、不溶性アゾ、溶性アゾ、フタロシアニン、ジオキサジン、酸化チタン等のものが用いられる。また助剤としては、安定剤、酸化防止剤、帯電防止剤等が用いられる。
【００２４】
このような印刷インクによって、図４に示すように、ポリエチレンテレフタレートフィルム１８の表面に印刷の手法によって模様が形成される。図４に示す模様は、いわゆるグラデーションと称する模様であって、下側の方が模様の色相が濃く、上に行くにしたがって次第に模様が薄くなっており、上縁側においてはほぼ透明な状態になっている。このようなグラデーション模様によると、マンションのベランダの手摺りに用いた場合に、外からベランダ内あるいは室内に対する視界が遮られる。これに対してマンションの室内あるいはベランダからは、外部の視界を遮ることがない。従って、マンションの内部の人のプライバシーが守られ、あるいはまたマンションの部屋に対する防犯上の不安が解消されることになる。
【００２５】
図５はポリエチレンテレフタレートフィルム１８による別の模様を示している。ここでは、このポリエチレンテレフタレートフィルム１８の表面に、ストライプ状であって、ストライプの幅や相互の間隔が自由に設定される多数の筋が形成されている。そしてこのような筋によって、ガラス面板１０に対して優れたデザイン性を付与することが可能になる。
【００２６】
図６はポリエチレンテレフタレートフィルム１８から成る印刷フィルム１８の表面の全面に均一に分布するように、各種の大きさの水玉状の模様を形成したものである。従って、全面に水玉を有するガラス面板を得ることが可能になる。
【００２７】
このようなガラス板１７と、ポリエチレンテレフタレートフィルム１８と、接着用のエチレン−酢酸ビニール共重合体フィルム１９との接合は、加熱状態で加圧を行なうことにより行なわれる。すなわち、０．５〜３ｍｐａの範囲内、より好ましくは０．８〜１．５ｍｐａの範囲内の圧力を加え、温度を１００〜１６０℃の範囲内、より好ましくは１２０〜１５０℃の範囲内で加熱し、しかもこのような状態を数時間、例えば２〜１０時間の範囲内、より好ましくは４〜８時間の範囲内保持する。このような条件で、加圧を行なうことにより、より完全なる接合が達成される。
【００２８】
図４〜図６に示すようなガラス面板１０は、両側のガラス板１７の間に配されるポリエチレンテレフタレートフィルム１８とエチレン−酢酸ビニール共重合体フィルム１９とによって両側のガラス板１７が接合されているために、万一の破損時においても破片の飛散を最小限にすることができ、ガラス面板１０の安全性が著しく向上する。また両側のガラス板１７の間に配されている印刷フィルム１８とエチレン−酢酸ビニール共重合体フィルム１９とによって、加撃物がこのガラス面板１０を貫通し難くなり、飛来物に対する安全性が向上する。またとくに印刷フィルム１０と両側のガラス板１７との間に配されるエチレン−酢酸ビニール共重合体フィルム１９が高い紫外線吸収効果を有し、可視光線領域では高い透過性を有しながらしかも紫外光（２８０〜３８０ｎｍ）の紫外線をほぼ完全に遮断することが可能になる。また接着手段を兼ねるエチレン−酢酸ビニール共重合体フィルム１９は、高い耐湿性を持っており、高湿度下においてもなお接着性能が損なわれることがなく、これによって高湿度下においても優れた性能を発揮することになる。
【００２９】
実施例１
両側のガラス板１７として、それぞれ１２ｍｍの普通ガラスを用いた。そしてこの普通ガラスの間に、１１．５〜２５０μｍの範囲内、より好ましくは３０〜１００μｍの範囲内の厚さのポリエチレンテレフタレートフィルム製であって、図４に示すようなグラデーションの印刷が施されたポリエチレンテレフタレートフィルム１８を配し、しかもこのようなポリエチレンテレフタレートフィルム１８の両側であってガラス板１７の内表面との間に、０．２４ｍｍの厚さのエチレン−酢酸ビニール共重合体フィルム１９を配し、これらを互いに加熱しながら加圧することによって、ガラス面板１０を得た。このようなガラス面板１０は、例えばマンションの手摺りのガラス面板として用いた場合に、極めて優れた強度と、そして光学特性と、そして高いデザイン性とを付与するものであることが確認された。
【００３０】
実施例２
実施例１における図４に示す印刷フィルムの模様に代えて、図５に示すような模様を有する印刷フィルムを用いたガラス面板を用意した。それ以外の条件は実施例１と同様である。このような模様もまた、マンションのベランダの手摺りのガラス面板に用いて好適なものであることが確認された。
【００３１】
実施例３
図４に示す模様の印刷フィルム１８に代えて、図６に示すような水玉模様がこの面板の全面に均一に分布するような印刷フィルム１８を用いてガラス面板を作成した。なおそれ以外の条件は実施例１と同様である。
【００３２】
このようなガラス面板もまた、上記第１の実施例および第２の実施例と同様に、マンションの手摺りのガラス面板として用いて好適なものであることが確認された。
【００３３】
以上本願発明を図示の実施の形態によって説明したが、本願発明は上記実施の形態によって限定されることなく、本願発明の技術的思想の範囲内において各種の変更が可能である。例えば上記実施例におけるガラス板１７、印刷フィルム１８、エチレン−酢酸ビニール共重合体フィルム１９の厚さや、その他のスペックについては、各種の設計変更が可能である。
【産業上の利用可能性】
【００３４】
本願発明は、マンションのベランダの手摺りのガラス面板に利用することができる。
【符号の説明】
【００３５】
１０  ガラス面板
１１  笠木
１２  縦棧（またはコーキング材）
１３  下棧
１７  ガラス板
１８  印刷フィルム（ポリエチレンテレフタレートフィルム）
１９  エチレン−酢酸ビニール共重合体フィルム
【図１】
2018058763.tif 000003
【図２】
2018058763.tif 000004
【図３】
2018058763.tif 000005
【図４】
2018058763.tif 000006
【図５】
2018058763.tif 000007
【図６】
2018058763.tif 000008